(57)【要約】【課題】制御装置とユーザーインターフェース装置とを分離してＰＯＳ端末を設置する場合であっても、容易かつ短い作業時間でＰＯＳ端末を設置することができるユーザーインターフェース装置、制御装置、および商品登録処理装置を提供する。【解決手段】ＰＯＳ端末１００の制御装置１０１が、制御装置１０１から複数の要素部品１１０への電源の供給および制御装置１０１と複数の要素部品１１０との間における信号の送受信の少なくとも一方を司る延長ケーブル３０５，３０６，３０７の接続端子３０１，３０２，３０３を備え、ＰＯＳ端末１００のユーザーインターフェース装置１０２が、延長ケーブル３０５，３０６，３０７の接続端子３００ａ，３００ｂ，３００ｃと、接続端子３００ａ，３００ｂ，３００ｃに接続した延長ケーブル３０５，３０６，３０７によって制御装置１０１から供給または送信された電源または信号を各要素部品１１０に分配する分配器３００ｆと、を有している中継ボード３００を備える。【選択図】図３
2011054091.tif 000002
【特許請求の範囲】
【請求項１】
商品登録処理装置の制御装置から分離して使用でき、前記制御装置を介して前記商品登録処理装置を操作するための複数の要素部品を実装するユーザーインターフェース装置であって、
前記制御装置から複数の前記要素部品への電源の供給および前記制御装置と複数の前記要素部品との間における信号の送受信の少なくとも一方を司る延長ケーブルを接続する接続端子と、前記接続端子に接続した前記延長ケーブルによって前記制御装置から供給または送信された電源または信号を前記各要素部品に分配する分配器と、を有している中継基板を備えた、
ことを特徴とするユーザーインターフェース装置。
【請求項２】
前記中継基板は、前記要素部品を追加実装するためのインターフェースをさらに有していることを特徴とする請求項１に記載のユーザーインターフェース装置。
【請求項３】
前記延長ケーブルは、前記制御装置から前記各要素部品へ電源を供給する電源線または前記制御装置と前記各要素部品との間において信号を送受信する信号線を１つにまとめたものであることを特徴とする請求項１または２に記載のユーザーインターフェース装置。
【請求項４】
商品登録処理装置を操作するための複数の要素部品を実装するユーザーインターフェース装置から分離でき、前記要素部品の操作に応じて前記商品登録処理装置を制御する制御装置であって、
前記制御装置から複数の前記要素部品への電源の供給および前記制御装置と複数の前記要素部品との間における信号の送受信の少なくとも一方を司る延長ケーブルの接続端子を備えた、
ことを特徴とする制御装置。
【請求項５】
制御装置と、前記制御装置から分離して使用でき、前記制御装置を介して自装置を操作するための複数の要素部品を実装するユーザーインターフェース装置と、を備えた商品登録処理装置であって、
前記制御装置は、
前記制御装置から複数の前記要素部品への電源の供給および前記制御装置と複数の前記要素部品との間における信号の送受信の少なくとも一方を司る延長ケーブルの接続端子を備え、
前記ユーザーインターフェース装置は、
前記延長ケーブルの接続端子と、前記接続端子に接続した前記延長ケーブルによって前記制御装置から供給または送信された電源または信号を前記各要素部品に分配する分配器と、を有している中継基板を備えた、
ことを特徴とする商品登録処理装置。
【請求項６】
前記中継基板は、前記要素部品を追加実装するためのインターフェースを有していることを特徴とする請求項５に記載の商品登録処理装置。
【発明の詳細な説明】
【技術分野】
【０００１】
本発明は、ユーザーインターフェース装置、制御装置、および商品登録処理装置に関する。
【背景技術】
【０００２】
商品登録処理装置としてスーパーマーケット等の店舗で使用されるＰＯＳ（Point  Of  Sales）端末がある。このようなＰＯＳ端末は、商品登録処理のために機能する制御装置と、キーボード、ディスプレイ、プリンタ等の要素部品が集合して構成されているユーザーインターフェース装置と、を備えている（例えば、特許文献１参照）。また、実際の店舗においてＰＯＳ端末が設置されるチェックアウトスペースには、ＰＯＳ端末の他に、当該ＰＯＳ端末に追加実装される要素部品であって、ドロワ、釣銭機、スキャナ、ポイントカードリーダ、電子マネー端末等の複数の追加周辺機器が設置される。そのため、チェックアウトスペースでＰＯＳ端末を操作するキャッシャの作業スペースは非常に狭くなっている。
【０００３】
そこで、限られたチェックアウトスペースでのキャッシャの作業性を向上させるために、キャッシャが作業する際に操作することのないＰＯＳ端末の制御装置をユーザーインターフェース装置から分離可能な構造とし、さらに、ＰＯＳ端末が設置されたレジ台の下など、キャッシャの作業に支障のない位置に制御装置を設置することが可能なＰＯＳ端末が開発されている。
【発明の概要】
【発明が解決しようとする課題】
【０００４】
ところで上述したＰＯＳ端末においては、制御装置と他の要素部品との電気的な接続を、要素部品ごとに別々のケーブルを用いて実現するため、制御装置と他の要素部品との電気的な接続に要するケーブルの本数が多くなる。そのため、制御装置とユーザーインターフェース装置とを分離してＰＯＳ端末を使用する場合、ＰＯＳ端末をチェックアウトスペースに設置する際には、ケーブルによる制御装置と他の要素部品との接続作業を数多く行わなければならず、非効率的である、という課題がある。
【０００５】
また、上述したＰＯＳ端末においては、一般的に、追加周辺機器をＰＯＳ端末に接続するためのコネクタが制御装置に設けられている。そのため、制御装置とユーザーインターフェース装置とを分離してＰＯＳ端末を使用する場合、レジ台の下などの隠れた箇所に設置された制御装置のコネクタと追加周辺機器との接続には延長ケーブルが用いられることが多い。このような延長ケーブルの接続作業は、レジ台の下などから制御装置を取り出してから行わなければならず、その作業が非効率的である、という課題がある。
【０００６】
本発明は、上記に鑑みてなされたものであって、制御装置とユーザーインターフェース装置とを分離してＰＯＳ端末を設置する場合であっても、容易かつ短い作業時間でＰＯＳ端末を設置することができるユーザーインターフェース装置、制御装置、および商品登録処理装置を提供することを目的とする。
【課題を解決するための手段】
【０００７】
上述した課題を解決し、目的を達成するために、本発明は、商品登録処理装置の制御装置から分離して使用でき、前記制御装置を介して前記商品登録処理装置を操作するための複数の要素部品を実装するユーザーインターフェース装置であって、前記制御装置から複数の前記要素部品への電源の供給および前記制御装置と複数の前記要素部品との間における信号の送受信の少なくとも一方を司る延長ケーブルを接続する接続端子と、前記接続端子に接続した前記延長ケーブルによって前記制御装置から供給または送信された電源または信号を前記各要素部品に分配する分配器と、を有している中継基板を備えた、ことを特徴とする。
【０００８】
また、本発明は、商品登録処理装置を操作するための複数の要素部品を実装するユーザーインターフェース装置から分離でき、前記要素部品の操作に応じて前記商品登録処理装置を制御する制御装置であって、前記制御装置から複数の前記要素部品への電源の供給および前記制御装置と複数の前記要素部品との間における信号の送受信の少なくとも一方を司る延長ケーブルの接続端子を備えた、ことを特徴とする。
【０００９】
また、本発明は、制御装置と、前記制御装置から分離して使用でき、前記制御装置を介して自装置を操作するための複数の要素部品を実装するユーザーインターフェース装置と、を備えた商品登録処理装置であって、前記制御装置は、前記制御装置から複数の前記要素部品への電源の供給および前記制御装置と複数の前記要素部品との間における信号の送受信の少なくとも一方を司る延長ケーブルの接続端子、を備え、前記ユーザーインターフェース装置は、前記延長ケーブルの接続端子と、前記接続端子に接続した前記延長ケーブルによって前記制御装置から供給または送信された電源または信号を前記各要素部品に分配する分配器と、を有している中継基板を備えた、ことを特徴とする。
【発明の効果】
【００１０】
本発明にかかるユーザーインターフェース装置、制御装置、および商品登録処理装置は、制御装置とユーザーインターフェース装置とを分離してＰＯＳ端末を設置する場合であっても、容易かつ短い作業時間でＰＯＳ端末を設置することができる、という効果を奏する。
【図面の簡単な説明】
【００１１】
【図１】図１は、本発明の本実施の形態にかかるＰＯＳ端末の外観斜視図である。
【図２】図２は、本発明の本実施の形態にかかるＰＯＳ端末を制御装置とユーザーインターフェース装置に分離した状態の外観斜視図である。
【図３】図３は、制御装置背面に設けられた端子類およびユーザーインターフェース装置のハードウェア構成を示す図である。
【図４】図４は、従来の一体型のＰＯＳ端末の制御装置背面に設けられた端子類およびユーザーインターフェース装置のハードウェア構成を示す図である。
【図５】図５は、従来の分離可能なＰＯＳ端末の制御装置背面に設けられた端子類およびユーザーインターフェース装置のハードウェア構成を示す図である。
【発明を実施するための形態】
【００１２】
以下に添付図面を参照して、この発明にかかるユーザーインターフェース装置、制御装置、および商品登録処理装置の最良な実施の形態を詳細に説明する。なお、本実施の形態では、本発明にかかるユーザーインターフェース装置、制御装置、および商品登録処理装置をＰＯＳ（Point  Of  Sales）端末に適用した例について説明する。
【００１３】
まず、図１〜３を用いて、本実施の形態にかかるＰＯＳ端末全体の概略について説明する。図１は、本発明の本実施の形態にかかるＰＯＳ端末の外観斜視図である。図２は、本発明の本実施の形態にかかるＰＯＳ端末を制御装置とユーザーインターフェース装置に分離した状態の外観斜視図である。図３は、制御装置背面に設けられた端子類およびユーザーインターフェース装置のハードウェア構成を示す図である。
【００１４】
本実施の形態にかかるＰＯＳ端末１００は、制御装置１０１と、当該制御装置１０１から分離して使用でき、当該制御装置１０１を介して自端末を操作するための複数の要素部品１１０（例えば、カードリーダ１０３、キーボード１０４、客面表示器１０５、プリンタ１０６、スキャナ１０８など）を実装するユーザーインターフェース装置１０２と、に大別される。
【００１５】
ＰＯＳ端末１００は、製造段階では、一体型として組み立てられているが、制御装置１０１から複数の要素部品１１０への電源の供給を司る延長ケーブル３０６、制御装置１０１と複数の要素部品１１０との間における信号の送受信を司る延長ケーブル３０５、制御装置１０１から複数の要素部品１１０への電源の供給および制御装置１０１と複数の要素部品１１０との間における信号の送受信を司る延長ケーブル３０７，およびＬＶＤＳ（Low  Voltage  Differential  Signaling）ライン３０８を用いることにより、制御装置１０１とユーザーインターフェース装置１０２とを分離することができる。よって、制御装置１０１とユーザーインターフェース装置１０２とを分離することにより、制御装置１０１をレジ台の下などに設置してＰＯＳ端末１００を使用することができる。なお、ＰＯＳ端末１００を一体型で使用する場合には、ユーザーインターフェース装置１０２と制御装置１０１との間にゴム足２０１を設置して、制御装置１０１の上に設置されたユーザーインターフェース装置１０２が制御装置１０１上から滑り落ちることを防止する。
【００１６】
ところで、延長ケーブル３０６は、制御装置１０１から各要素部品１１０へ電源を供給する電源線を１つにまとめたものであり、片方にオス型の端子、もう片方にメス型の端子が付いているものとする。なお、各端子には、制御装置１０１と各要素部品１１０とを接続する複数の電源線分のピンが設けられている。
【００１７】
また、延長ケーブル３０５は、制御装置１０１と各要素部品１１０との間において信号を送受信する信号線（例えば、ＲＳ（Recommended  Standard）２３２Ｃケーブル）を１つにまとめたものであり、片方にオス型の端子、もう片方にメス型の端子が付いているものとする。なお、各端子には、制御装置１０１と各要素部品１１０との間において信号を送受信する複数の信号線分のピンが設けられている。
【００１８】
また、延長ケーブル３０７は、制御装置１０１からＵＳＢ（Universal  Serial  Bus）対応の複数の要素部品１１０への電源の供給および制御装置１０１とＵＳＢ対応の複数の要素部品１１０との間における信号の送受信を１本のケーブルで司るＵＳＢ延長ケーブルであり、片方にオス型の端子、もう片方にメス型の端子が付いているものとする。
【００１９】
ＬＶＤＳライン３０８は、制御装置１０１からオペレータＴＦＴ（Thin  Film  Transistor）１０７へとＬＶＤＳ信号を転送するものであり、片方にオス型の端子、もう片方にメス型の端子が付いているものとする。
【００２０】
なお、本実施の形態では、ユーザーインターフェース装置１０２と制御装置１０１とを分離して設置する場合を想定して説明を行うが、延長ケーブル３０５,３０６，３０７などに短いケーブルを用いることにより、ユーザーインターフェース装置１０２と制御装置１０１とを一体化して使用することもできる。
【００２１】
次に、図１〜３を用いて、制御装置１０１およびユーザーインターフェース装置１０２について詳細に説明する。
【００２２】
ユーザーインターフェース装置１０２は、ＵＳＢ対応の複数の要素部品１１０を実装している。また、ユーザーインターフェース装置１０２には、ＰＯＳ端末１００が設置された店舗の運用形態に応じて、ポイントカードリーダや電子マネー決済用の端末等の追加周辺機器３０９を要素部品１１０として追加実装することもできる。さらに、ユーザーインターフェース装置１０２には、ＬＶＤＳライン３０８のメス型の端子と接続されたオペレータＴＦＴ１０７が実装されている。
【００２３】
また、ユーザーインターフェース装置１０２は、制御装置１０１から要素部品１１０への電源供給および制御装置１０１と要素部品１１０との間における信号の送受信を中継する中継ボード３００を備えている。なお、本実施の形態では、ＵＳＢ対応の要素部品１１０（キーボード１０４、客面表示器１０５、プリンタ１０６、スキャナ１０８）は、要素部品１１０毎に別々のＵＳＢケーブルにより中継ボード３００に接続されている。また、電源の供給が必要な要素部品１１０（客面表示器１０５、プリンタ１０６）は、要素部品１１０毎に別々の電源用ケーブルにより中継ボード３００に接続されている。さらに、カードリーダ１０３は、キーボード１０４を介して中継ボード３００に接続されている。
【００２４】
中継ボード３００は、延長ケーブル３０５，３０６，３０７の接続端子３００ａ，３００ｂ，３００ｃを有している。なお、接続端子３００ａは、ＲＳ２３２Ｃ用のオス型の端子であり、延長ケーブル３０５のメス型の端子が接続される。接続端子３００ｃは、ＵＳＢ用のオス型の端子であり、延長ケーブル３０７のメス型の端子が接続される。接続端子３００ｂは、ＡＣ電源用のオス型の端子であり、延長ケーブル３０６のメス型の端子が接続される。
【００２５】
また、中継ボード３００は、ＵＳＢ用の端子３００ｄまたはＲＳ２３２Ｃ用の端子３００ｅなど、要素部品１１０を追加実装するためのインターフェースを有している。
【００２６】
さらに、中継ボード３００は、接続端子３００ａ，３００ｂ，３００ｃに接続された延長ケーブル３０５，３０６，３０７によって制御装置１０１から供給または送信された電源または信号を各要素部品１１０に分配する分配器３００ｆ（例えば、ドライバ）を有している。
【００２７】
制御装置１０１は、ユーザーインターフェース装置１０２が備えるキーボード１０４などの要素部品１１０からの操作に応じて、ＰＯＳ端末１００を制御するものである。また、制御装置１０１は、延長ケーブル３０５，３０６，３０７の接続端子３０１，３０２，３０３、ＬＶＤＳライン３０８の接続端子３０４などを備えている。
【００２８】
なお、接続端子３０２は、ＡＣ電源用のメス型の端子であり、延長ケーブル３０６のオス型の端子が接続される。接続端子３０１は、ＲＳ２３２Ｃ用のメス型の端子であり、延長ケーブル３０５のオス型の端子が接続される。接続端子３０３は、ＵＳＢ用のメス型の端子であり、延長ケーブル３０７のオス型の端子が接続される。接続端子３０４は、ＬＶＤＳ対応のメス型の端子であり、ＬＶＤＳライン３０８のオス型の端子が接続される。
【００２９】
次に、図４および図５を用いて、本実施の形態にかかるＰＯＳ端末１００と、従来のＰＯＳ端末とを比較する。図４は、従来の一体型のＰＯＳ端末の制御装置背面に設けられた端子類およびユーザーインターフェース装置のハードウェア構成を示す図である。図５は、従来の分離可能なＰＯＳ端末の制御装置背面に設けられた端子類およびユーザーインターフェース装置のハードウェア構成を示す図である。
【００３０】
従来の一体型のＰＯＳ端末４００においては、図４に示すように、ユーザーインターフェース装置４０２が備える要素部品１１０と、制御装置４０１が備える電源用の端子４０３およびＵＳＢ／ＬＶＤＳ対応の端子４０９とは、延長ケーブルを介さず、各要素部品１１０から延びる電源ケーブル４０６、ＵＳＢケーブル４０７、およびＬＶＤＳライン４０８によって直接接続されていた。そのため、ＰＯＳ端末４００の奥に制御装置４０１が配置されている場合、各要素部品１１０から延びる電源ケーブル４０６、ＵＳＢケーブル４０７、およびＬＶＤＳライン４０８を、一つずつ制御装置４０１が備える端子４０２および端子４０３に接続する作業が非効率的であった。さらに、図４に示すＰＯＳ端末４００は、追加周辺機器３０９を接続するための端子４０４，４０５が制御装置４０１に設けられているため、ＰＯＳ端末４００の奥に制御装置４０１が配置されている場合、その接続の作業をさらに非効率的なものにしていた。
【００３１】
しかし、本実施の形態にかかるＰＯＳ端末１００によれば、制御装置１０１から複数の要素部品１１０への電源の供給および制御装置１０１と複数の要素部品１１０との間における信号の送受信の少なくとも一方を司る延長ケーブル３０５，３０６，３０７を用いることにより、ＰＯＳ端末４００の奥に配置された制御装置４０１の接続端子３０１，３０２，３０３に接続するケーブルの本数を減らすことができるので、ユーザーインターフェース装置１０２と制御装置１０１との接続作業の作業効率を向上させることができる。また、本実施の形態にかかるＰＯＳ端末１００によれば、レジ台の上など、ＰＯＳ端末１００の奥に配置されることがないユーザーインターフェース装置１０２に追加周辺機器３０９を接続するためのインターフェースを設けることにより、追加周辺機器３０９の接続作業の作業効率を向上させることができる。
【００３２】
また、従来の分離可能なＰＯＳ端末５００においては、図５に示すように、ユーザーインターフェース装置４０２が備える要素部品１１０と、制御装置４０１が備える電源用の端子４０３およびＵＳＢ／ＬＶＤＳ対応の端子４０９とは、各要素部品１１０から延びる電源ケーブル４０６、ＵＳＢケーブル４０７、およびＬＶＤＳライン４０８それぞれに設けた電源用の延長ケーブル５０１、ＵＳＢ用の延長ケーブル５０２、およびＬＶＤＳ用の延長ケーブル５０３を介して、接続されていた。つまり、図５に示す例では、７本の延長ケーブルを用いて、ユーザーインターフェース装置４０２と制御装置４０１とを接続していた。そのため、制御装置４０１をユーザーインターフェース装置４０２から離れた位置に設置する際の延長ケーブルの接続作業が非効率的であった。さらに、図５に示すＰＯＳ端末５００は、図４に示すＰＯＳ端末４００と同様に、追加周辺機器３０９を接続するための端子４０４，４０５が制御装置４０１に設けられているため、追加周辺機器３０９から延びるケーブル５０５用の延長ケーブル５０４も必要となり、その接続作業をさらに非効率的なものとしていた。
【００３３】
しかし、本実施の形態にかかるＰＯＳ端末１００によれば、図３に示すように、３本の延長ケーブルのみで、追加周辺機器３０９を含む要素部品１１０を、ユーザーインターフェース装置１０２から分離して設置された制御装置１０１に接続することができるので、その接続作業の作業効率を向上させることができる。また、使用する延長ケーブルも削減することができるので、短時間でユーザーインターフェース装置１０２と制御装置１０１との接続作業を終らすことができる。
【００３４】
このように本実施の形態にかかるＰＯＳ端末１００によれば、制御装置１０１が、制御装置１０１から複数の要素部品１１０への電源の供給および制御装置１０１と複数の要素部品１１０との間における信号の送受信の少なくとも一方を司る延長ケーブル３０５，３０６，３０７の接続端子３０１，３０２，３０３と、を備え、ユーザーインターフェース装置１０２が、延長ケーブル３０５，３０６，３０７の接続端子３００ａ，３００ｂ，３００ｃと、接続端子３００ａ，３００ｂ，３００ｃに接続した延長ケーブル３０５，３０６，３０７によって制御装置１０１から供給または送信された電源または信号を各要素部品１１０に分配する分配器３００ｆと、を有している中継ボード３００を備えることにより、制御装置１０１をレジ台の下などに配置する場合など、制御装置１０１とユーザーインターフェース装置１０２とを分離して設置する場合に用いる延長ケーブルの数を減らすことができるので、制御装置１０１とユーザーインターフェース装置１０２とを分離してＰＯＳ端末１００を設置する場合であっても、容易かつ短い作業時間でＰＯＳ端末１００を設置することができる。また、追加周辺機器３０９をＰＯＳ端末１００に接続する場合に、延長ケーブルを追加で用意する必要がないため、追加周辺機器３０９用の延長ケーブル分のコストを削減することができる。
【符号の説明】
【００３５】
１００  ＰＯＳ端末
１０１  制御装置
１０２  ユーザーインターフェース装置
１１０  要素部品
３００  中継ボード
３００ａ，３００ｂ，３００ｃ，３０１，３０２，３０３  接続端子
３００ｄ，３００ｅ  端子
３００ｆ  分配器
３０５，３０６，３０７  延長ケーブル
３０９  追加周辺機器
【先行技術文献】
【特許文献】
【００３６】
【特許文献１】特開２００８−２９３１８３公報
【図１】
2011054091.tif 000003
【図２】
2011054091.tif 000004
【図３】
2011054091.tif 000005
【図４】
2011054091.tif 000006
【図５】
2011054091.tif 000007